【手続補正書】
【提出日】平成17年9月12日(2005.9.12)
【手続補正１】
【補正対象書類名】特許請求の範囲
【補正対象項目名】全文
【補正方法】変更
【補正の内容】
【特許請求の範囲】
【請求項１】
ブリッジとして構成された集積回路を有する装置であって、前記集積回路は、
内部バスと、
前記内部バスに結合され、当該内部バスのマスターとなって当該内部バスを制御するように構成されたマイクロコントローラと、
前記内部バスに結合され、前記マイクロコントローラとこの内部バスを介してデータを交換するように構成されたイーサネット・コントローラと、
前記マイクロコントローラと前記イーサネット・コントローラとに結合され、前記データをバッファする複数のバッファと、を有する装置。
【請求項２】
前記複数のバッファは、前記内部バスと前記イーサネット・コントローラとに結合されたものであり、更に、
第１の外部バスに結合するための第１バス・インタフェース・ロジックを有する、請求項１記載の装置。
【請求項３】
前記イーサネット・コントローラはアラート・スタンダード・フォーマット・メッセージを前記マイクロコントローラに中継するように構成されている請求項１または２に記載の装置。
【請求項４】
前記イーサネット・コントローラはアラート・スタンダード・フォーマット・メッセージを外部にあるアラート・スタンダード・フォーマット・マスターに中継するように構成されている請求項２に記載の装置。
【請求項５】
前記内部バスに結合されたリモート管理および制御プロトコル・セット命令ユニットをさらに有し、前記リモート管理および制御プロトコル・セット命令ユニットは、前記イーサネット・コントローラを介して外部の管理サーバーから受信したリモート管理および制御プロトコル命令を実行するように構成されている請求項１、２または４のいずれか１項に記載の装置。
【請求項６】
前記内部バスに結合されたシステム管理割り込み要求レジスタをさらに有し、前記システム管理割り込み要求レジスタは、前記システム管理割り込み要求レジスタにシステム管理割り込みベクタが書き込まれたことを受けてシステム管理割り込みに対する要求を発生させるように構成されており、前記マイクロコントローラは、前記システム管理割り込み要求レジスタに前記システム管理割り込みベクタを書き込むように構成されている請求項１〜５のいずれか１項に記載の装置。
【請求項７】
前記内部バスに結合されたタイマをさらに有し、前記マイクロコントローラは、前記タイマが満了したことを受けて、前記システム管理割り込み要求レジスタに前記システム管理割り込みベクタを書き込むように構成可能である請求項６に記載の装置。
【請求項８】
前記内部バスに結合された割り込みレジスタをさらに有し、マイクロコントローラ割り込みベクタが前記割り込みレジスタに書き込まれたことを受けてマイクロコントローラ割り込みが生成される請求項１〜６のいずれか１項に記載の装置。
【請求項９】
前記内部バスに結合されたデータ交換レジスタをさらに有し、前記データ交換レジスタは、前記マイクロコントローラからのデータまたは前記マイクロコントローラへのデータを記憶するように構成されており、前記マイクロコントローラは前記データ交換レジスタにデータを書き込むように構成されており、前記マイクロコントローラは前記データ交換レジスタからデータを読み出すように構成されている請求項１〜８のいずれか１項に記載の装置。
【請求項１０】
前記内部バスに結合されたシステム管理割り込み要求レジスタをさらに有し、前記システム管理割り込み要求レジスタは、前記システム管理割り込み要求レジスタにシステム管理割り込みベクタが書き込まれたことを受けてシステム管理割り込みに対する要求を発生させるように構成されており、前記マイクロコントローラは、前記システム管理割り込み要求レジスタに前記システム管理割り込みベクタを書き込むように構成されている請求項８または９に記載の装置。
【請求項１１】
前記集積回路はコンピュータ・システムに組み込まれており、前記コンピュータ・システムは外部バスをさらに有し、前記集積回路は前記外部バスに結合されている請求項２または４に記載の装置。
【請求項１２】
前記コンピュータ・システムは前記外部バスに結合されたプロセッサをさらに有し、前記プロセッサは前記集積回路内の前記イーサネット・コントローラによってネットワークを介して通信するように構成されている請求項１１に記載の装置。
【請求項１３】
前記コンピュータ・システムは前記外部バスに結合された少なくとも１つのセンサをさらに有し、前記イーサネット・コントローラは、ネットワークを介して前記センサからのデータを送信するように構成されている請求項１１または１２に記載の装置。
【請求項１４】
前記マイクロコントローラはアラート・スタンダード・フォーマット・マスターとして構成されており、前記イーサネット・コントローラはアラート・スタンダード・フォーマット・メッセージを前記マイクロコントローラに中継するように構成されている請求項１１〜１３のいずれか１項に記載の装置。
【請求項１５】
前記コンピュータ・システムは、前記集積回路と前記プロセッサとに結合されたネットワーク・インタフェース・カードをさらに有し、前記ネットワーク・インタフェース・カードはアラート・スタンダード・フォーマット・マスターとして構成されており、前記マイクロコントローラはアラート・スタンダード・フォーマット・スレーブとして構成されており、前記イーサネット・コントローラは、アラート・スタンダード・フォーマット・メッセージを前記ネットワーク・インタフェース・カードに中継するように構成されている請求項１１〜１３のいずれか１項に記載の装置。
【請求項１６】
アラート・スタンダード・フォーマット・サウス・ブリッジ内のイーサネット・コントローラにおいてアラート・スタンダード・フォーマット・メッセージを受信するステップと、
前記アラート・スタンダード・フォーマット・サウス・ブリッジ内の内部バスを介して、前記アラート・スタンダード・フォーマット・サウス・ブリッジ内の前記イーサネット・コントローラから前記アラート・スタンダード・フォーマット・サウス・ブリッジ内のマイクロコントローラに前記アラート・スタンダード・フォーマット・メッセージを送信するステップと、
前記アラート・スタンダード・フォーマット・サウス・ブリッジ内の前記マイクロコントローラをアラート・スタンダード・フォーマット・スレーブ・モードで動作させている場合に、外部バスを介して前記アラート・スタンダード・フォーマット・サウス・ブリッジ内の前記マイクロコントローラからアラート・スタンダード・フォーマット・ネットワーク・インタフェース・カードに前記アラート・スタンダード・フォーマット・メッセージを送信するステップと、
前記アラート・スタンダード・フォーマット・サウス・ブリッジ内の前記マイクロコントローラをアラート・スタンダード・フォーマット・マスター・モードで動作させている場合に、前記アラート・スタンダード・フォーマット・サウス・ブリッジ内の前記マイクロコントローラから前記アラート・スタンダード・フォーマット・サウス・ブリッジ内の前記イーサネット・コントローラに、前記アラート・スタンダード・フォーマット・メッセージに対する肯定応答を送信するステップと、を有するコンピュータ・システムの動作方法。
【請求項１７】
前記アラート・スタンダード・フォーマット・メッセージに応答して複数のアラート・スタンダード・フォーマット・サウス・ブリッジ・レジスタのうちの少なくとも１つからデータを読み出すステップと、
前記アラート・スタンダード・フォーマット・サウス・ブリッジ内の前記マイクロコントローラをアラート・スタンダード・フォーマット・スレーブ・モードで動作させている場合に、前記複数の外部アラート・スタンダード・フォーマット・サウス・ブリッジ・レジスタのうちの前記少なくとも１つから読み出した前記データを、前記外部バスを介して前記ネットワーク・インタフェース・カードから前記アラート・スタンダード・フォーマット・サウス・ブリッジ内の前記マイクロコントローラに転送するステップと、
前記複数の外部アラート・スタンダード・フォーマット・サウス・ブリッジ・レジスタのうちの前記少なくとも１つから読み出した前記データを、前記内部ブリッジを介して前記アラート・スタンダード・フォーマット・サウス・ブリッジ内の前記マイクロコントローラから前記アラート・スタンダード・フォーマット・サウス・ブリッジ内の前記イーサネット・コントローラに転送するステップと、をさらに有する請求項１６に記載の方法。
【請求項１８】
前記アラート・スタンダード・フォーマット・サウス・ブリッジ内の前記マイクロコントローラの前記アラート・スタンダード・フォーマット・マスター・モードでの動作には、前記アラート・スタンダード・フォーマット・サウス・ブリッジにある前記マイクロコントローラが、アラート・スタンダード・フォーマット・センサ状態値を求めて前記コンピュータ・システム内のアラート・スタンダード・フォーマット・センサに対してポーリングを行うことと、前記アラート・スタンダード・フォーマット・センサ状態値を求める外部の管理サーバーからの要求に応じることと、が含まれる、請求項１７に記載の方法。
【請求項１９】
前記アラート・スタンダード・フォーマット・サウス・ブリッジ内の前記マイクロコントローラの前記アラート・スタンダード・フォーマット・スレーブ・モードでの動作には、前記アラート・スタンダード・フォーマット・サウス・ブリッジ内の前記マイクロコントローラによって、前記アラート・スタンダード・フォーマット・ネットワーク・インタフェース・カードからのアラート・スタンダード・フォーマット要求に応答することが含まれる、請求項１７に記載の方法。